【手続補正書】
【提出日】平成18年8月1日(2006.8.1)
【手続補正１】
【補正対象書類名】明細書
【補正対象項目名】特許請求の範囲
【補正方法】変更
【補正の内容】
【特許請求の範囲】
【請求項１】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び第２の当接部材間に配設され、駆動信号を印加されることにより振動し前記第１の当接部材に対し所定の相対移動方向に相対的に移動する振動子と、
該振動子の前記第１の当接部材に対向する側に該第１の当接部材に接触すべく前記相対移動方向に所定の間隔で設けられた第１及び第２の駆動接触部と、
前記振働子の前記第２の当接部材に対向する側に該第２の当接部材に接触すべく前記第１及び第２の駆動接触部の間に対応する位置に設けられた第３の駆動接触部と、
を具備することを特徴とする振動波リニアモータ。
【請求項２】  前記振動子の前記第２の当接部材に対向する側に該第２の当接部材に接触すべく第４の駆動接触部を更に設け、該第４の駆動接触部と前記第３の駆動接触部との配置間隔は前記第１及び第２の駆動接触部の配置間隔よりも狭いことを特徴とする請求項１記載の振動波リニアモータ。
【請求項３】  前記第４の駆動接触部は、前記振動子の前記相対移動方向での前記第１及び第２の駆動接触部との間に対応する位置に配置されることを特徴とする請求項２記載の振動波リニアモータ。
【請求項４】  前記第１及び第２の駆動接触部は、前記振動子の前記相対移動方向の端部近傍に配置されることを特徴とする請求項１記載の振動波リニアモータ。
【請求項５】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び前記第２の当接部材との間に配され、駆動信号を印加することにより振動し前記第１の当接部材に対し所定の相対移動方向に相対的に移動する振動子と、
該振動子の前記第２の当接部材に対向する側に該第２の当接部材に接触すべく前記相対移動方向に所定の間隔で設けられた第１及び第２の駆動接触部と、
前記振働子の前記第１の当接部材に対向する側で前記第１及び第２の駆動接触部の間に対応する位置に設けられた第３の駆動接触部と、
を具備することを特徴とする振動波リニアモータ。
【請求項６】  前記第３の駆動接触部は、前記相対移動方向での前記第１及び第２の駆動接触部の配置位置よりも前記振動子の重心位置に近い位置に配置されることを特徴とする請求項５記載の振動波リニアモータ。
【請求項７】  前記振動子の前記第１の当接部材に対向する側に該第１の当接部材に接触すべく第４の駆動接触部を更に設け、該第４の駆動接触部と前記第３の駆動接触部との配置間隔は前記第１及び第２の駆動接触部の配置間隔よりも狭いことを特徴とする請求項６記載の振動波リニアモータ。
【請求項８】  前記第４の駆動接触部は、前記振動子の前記相対移動方向での前記第１及び第２の駆動接触部との間に対応する位置に配置されることを特徴とする請求項７記載の振動波リニアモータ。
【請求項９】  前記第１及び第２の駆動接触部は、前記振動子の前記相対移動方向の端部近傍に配置されることを特徴とする請求項５記載の振動波リニアモータ。
【請求項１０】  基台と、
該基台に対し固定された第１の当接部材と、
該第１の当接部材に向けて移動可能に配された第２の当接部材と、
前記第１及び第２の当接部材間に配設され、駆動信号を印加されることにより振動し前記第１の当接部材に対し所定の相対移動方向に相対的に移動する振動子と、
該振動子の前記第１の当接部材に対向する側に該第１の当接部材に接触すべく設けられた第１の駆動接触部と、
前記振動子の前記第２の当接部材に対向する側に該第２の当接部材に接触すべく設けられた第２の駆動接触部と、
前記第１及び第２の当接部材と前記第１及び第２の駆動接触部との間に押圧力を付与する付勢手段と、
を具備し、
前記第１の駆動接触部は、前記振動子の前記相対移動方向と、前記第１及び第２の当接部材の配列方向とに直交する方向への前記振動子の移動を規制するガイド機能を有することを特徴とする振動波リニアモータ。
【請求項１１】  前記第２の駆動接触部は、前記振動子の前記相対移動方向と、前記第１及び第２の当接部材の配列方向とに直交する方向への前記振動子の移動を規制するガイド機能に所定の遊びを許容することを特徴とする請求項１０に記載の振動波リニアモータ。
【請求項１２】  前記第２の駆動接触部と前記第２の当接部材との接触部において該接触部の法線と前記振動子の振動方向と成す角が、前記第１の駆動接触部と前記第１の当接部材との接触部において該接触部の法線と前記振動子の振動方向と成す角よりも小さいことを特徴とする請求項１１記載の振動波リニアモータ。
【請求項１３】  基台と、
該基台に対し固定された第ｌの当接部材と、
該第１の当接部材に向けて移動可能に配された第２の当接部材と、
前記第１及び第２の当接部材間に配設され、駆動信号を印加されることにより振動し前記第１の当接部材に対し所定の相対移動方向に相対的に移動する振動子と、
該振動子の前記第１の当接部材に対向する側に該第１の当接部材に接触すべく設けられた第１の駆動接触部と、
前記振動子の前記第２の当接部材に対向する側に該第２の当接部材に接触すべく設けられた第２の駆動接触部と、
前記第１及び第２の当接部材と前記第１及び第２の駆動接触部との間に押圧力を付与する付勢手段と、
を具備し、
前記第２の駆動接触部は、前記振動子の前記相対移動方向と、前記第１及び第２の当接部材の配列方向とに直交する方向への前記振動子の移動を規制するガイド機能を有し、前記第１の駆動接触部は前記ガイド機能に所定の遊びを許容することを特徴とする振動波リニアモータ。
【請求項１４】  前記第１の駆動接触部と前記第１の当接部材との接触部において、該接触部の法線と前記振動子の振動方向と成す角が、前記第２の駆動接触部と前記第２の当接部材との接触部における該接触部の法線と前記振動子の振動方向と成す角よりも小さいことを特徴とする請求項１３記載の振動波リニアモータ。
【請求項１５】  第１の当接部材と、
第２の当接部材と、
前記第１及び第２の当接部材間に配設され、駆動信号が印加されることにより振動し前記第１の当接部材に対し所定の相対移動方向へ相対的に移動する振動子と、
該振動子に設けられ、前記第１及び第２の当接部材と当接する駆動接触部と、
前記振動子と前記第１及び第２の当接部材とが圧接するように付勢する付勢手段と、
前記駆動接触部に設けられ、前記第１の当接部材の少なくとも一部が挿入されるように形成された挿入部と、
を具備し、
前記挿入部に前記第１の当接部材が挿入されることにより、前記振動子の前記相対移動方向及び前記第１及び第２の当接部材の配列方向とに直交する方向への前記振動子の位置が規制されることを特徴とする振動波リニアモータ。
【請求項１６】  前記挿入部は、断面が円弧状の溝からなることを特徴とする請求項１５記載の振動波リニアモータ。
【請求項１７】  前記挿入部は、断面がＶ字状の溝からなることを特徴とする請求項１５に記載の振動波リニアモータ。
【請求項１８】  第１の当接部材と、
第２の当接部材と、
前記第１及び第２の当接部材間に配設され、駆動信号が印加されることにより振動し前記第１の当接部材に対し所定の相対移動方向に相対的に移動する振動子と、
該振動子の前記第１の当接部材に対向する側に該第１の当接部材に接触すべく設けられた第１の駆動接触部と、
前記振動子の前記第２の当接部材に対向する側に該第２の当接部材に接触すべく設けられた第２の駆動接触部と、
前記第１及び第２の駆動接触部と前記第１及び第２の当接部材とを圧接させるべく付勢する付勢手段と、
前記第１の駆動接触部において前記第１の当接部材と接触すべき部位に設けられた第１の溝部と、
前記第２の駆動接触部において前記第２の当接部材と接触すべき部位に設けられた第２の溝部と、
を具備し、
前記振動子は、前記第１及び第２の溝部の少なくとも一方により前記相対移動方向並びに前記第１及び第２の当接部材の配列方向と直角な方向への移動が規制されることを特徴とする振動波リニアモータ。
【請求項１９】  前記第１の当接部材を固定する基台を有し、前記第１の溝部と前記第１の当接部材との間の遊びに対し、前記第２の溝部と前記第２の当接部材との間の遊びの方が大きいことを特徴とする請求項１８に記載の振動波リニアモータ。
【請求項２０】  前記第２の当接部材は、前記第２の溝部の溝底部に接触することを特徴とする詣求項１９に記載の振動波リニアモータ。
【請求項２１】  前記第１の当接部材は、前記第１の溝部の溝壁部に接触することを特徴とする請求項１９に記載の振動波リニアモータ。
【請求項２２】  前記第１の当接部材を固定する基台を有し、
前記第２の溝部と前記第２の当接部材との間の遊びに対し、前記第１の溝部と前記第１の当接部材との間の遊びの方が大きいことを特徴とする請求額１８記載の振動波リニアモータ。
【請求項２３】  前記第１の当接部材は、前記第１の溝部の溝底部に接触することを特徴とする請求項２２記載の振動波リニアモータ。
【請求項２４】  前記第２の当接部材は、前記第２の溝部の溝壁部に接触することを特徴とする請求項２３記載の振動波リニアモータ。
【請求項２５】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び第２の当接部材間に配設され、駆動信号を印加されることにより振動し前記第１の当接部材に対し所定の相対移動方向に相対的に移動する振動子と、
該振動子の前記第１の当接部材に対向する側に、対向する前記第１の当接部材と接触すべく設けられた第１の駆動接触部と、
該第１の駆動接触部と前記相対移動方向に所定の間隔で同一側に配置され前記第１の当接部材と接触すべく設けられた第２の駆動接触部と、
前記振動子の前記第２の当接部材に対向する側に、対向する前記第２の当接部材と接触すべく設けられ、前記相対移動方向で且つ前記第２の駆動接触部間に対応する位置に配置された第３の駆動接触部と、
を具備し、
前記第１及び第２の駆動接触部の少なくとも一方は、前記振動子の相対移動方向と前記第１及び第２の当接部材の配列方向とに直交する方向への前記振動子の移動を規制するガイド機能を有することを特徴とする振動波リニアモータ。
【請求項２６】  前記第３の駆動接触部は、前記振動子の相対移動方向と前記第１及び第２の当接部材の配列方向とに直交する方向への前記振動子の移動を許容するように前記第２の当接部材と接触することを特徴とする請求項２５記載の振動波リニアモータ。
【請求項２７】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び第２の当接部材間に配設され、駆動信号を印加されることにより振動し前記第１の当接部材に対し所定の相対移動方向に相対的に移動する振動子と、
該振動子の前記第２の当接部材に対向する側に、対向する前記第２の当接部材と接触すべく設けられた第１の駆動接触部と、
該第１の駆動接触部と前記相対移動方向に所定の間隔で同一側に配置され前記第２の当接部材と接触すべく設けられた第２の駆動接触部と、
前記振動子の前記第１の当接部材に対向する側に、対向する前記第１の当接部材と接触すべく設けられ、前記相対移動方向で且つ前記第１及び第２の駆動接触部間に対応する位置に配置された第３の駆動接触部と、
を具備し、
前記第３の駆動接触部は、前記振動子の相対移動方向と前記第１及び第２の当接部材の配列方向とに直交する方向への前記振動子の移動を規制するガイド機能を有することを特徴とする振動波リニアモータ。
【請求項２８】  前記第１及び第２の駆動接触部は、前記振動子の前記相対移動方向と前記第１及び第２の当接部材の配列方向とに直交する方向への前記振動子の移動を許容するように前記第２の当接部材と接触することを特徴とする請求項２７記載の振動波リニアモータ。
【請求項２９】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び第２の当接部材間に配設され、駆動信号を印加されることにより振動し前記第１の当接部材に対し所定の相対移動方向に相対的に移動する振動子と、
該振動子の前記第１の当接部材に対向する側に、対向する前記第１の当接部材と接触すべく設けられた第１の駆動接触部と、
該第１の駆動接触部に設けられ、前記第１の当接部材と接触すべき部位に形成された第１の溝部と、
前記第１の駆動接触部と前記相対移動方向に所定の間隔で同一側に配置され前記第１の当接部材と接触すべく設けられた第２の駆動接触部と、
該第２の駆動接触部に設けられ、前記第１の当接部材と接触すべき部位に形成された第２の溝部と、
前記振動子の前記第２の当接部材に対向する側に、対向する前記第２の当接部材と接触すべく設けられ、前記相対移動方向で且つ前記第１及び第２の駆動接触部間に対応する位置に配置された第３の駆動接触部と、
該第３の駆動接触部に設けられ、対向する前記第２の当接部材に接触すべき部位に形成された第３の溝部と、
を具備し、
前記振動子は、前記第１の溝部により前記相対移動方向と前記第１及び第２の当接部材の配列方向とに直交する方向への位置が規制されることを特徴とする振動波リニアモータ。
【請求項３０】  前記第１の溝部と前記第１の当接部材との間の遊びよりも前記第３の溝部と前記第２の当接部材との間の遊びの方が大きいことを特徴とする請求項２９記載の振動波リニアモータ。
【請求項３１】  前記第１の溝部と前記第１の当接部材との間の遊びと前記第２の溝部と前記第１の当接部材との間の遊びとが略等しいことを特徴とする請求項２９記載の振動波リニアモータ。
【請求項３２】  前記第１の当接部材は、前記第１の溝部の底部を除く少なくとも２点に接触することを特徴とする請求項２９記載の振動波リニアモータ。
【請求項３３】  基台と、
該基台に対し固定された第１の当接部材と、
該第１の当接部材に向けて移動可能に配された第２の当接部材と、
該第２の当接部材を前記第１の当接部材に向けて付勢する付勢手段と、
前記第１及び第２の当接部材間に配設され、駆動信号を印加されることにより振動し前記第１の当接部材に対し所定の相対移動方向に相対的に移動する振動子と、
該振動子の前記第２の当接部材に対向する側に、対向する前記第２の当接部材と接触すべく設けられた第１の駆動接触部と、
該第１の駆動接触部に設けられ、前記第２の当接部材と接触すべき部位に形成された第１の溝部と、
前記第１の駆動接触部と前記相対移動方向に所定の間隔で同一側に配置され前記第２の当接部材と接触すべく設けられた第２の駆動接触部と、
該第２の駆動接触部に設けられ、前記第２の当接部材と接触すべき部位に形成された第２の溝部と、
前記振動子の前記第１の当接部材に対向する側に、対向する前記第１の当接部材と接触すべく設けられ、前記相対移動方向で且つ前記第１及び第２の駆動接触部間に対応する位置に配置された第３の駆動接触部と、
該第３の駆動接触部に設けられ、対向する前記第１の当接部材に接触すべき部位に形成された第３の溝部と、
を具備し、
前記振動子は、前記第３の溝部により前記相対移動方向と前記第１及び第２の当接部材の配列方向とに直交する方向への位置が規制されることを特徴とする振動波リニアモータ。
【請求項３４】  前記第３の溝部と前記第１の当接部材との間の遊びよりも前記第１及び第２の溝部と前記第２の当接部材との間の遊びの方が大きいことを特徴とする請求項３３記載の振動波リニアモータ。
【請求項３５】  前記第１の溝部と前記第２の当接部材との間の遊びと前記第２の溝部と前記第２の当接部材との間の遊びとが略等しいことを特徴とする請求項３３記載の振動波リニアモータ。
【請求項３６】  前記第１の当接部材は、前記第３の溝部の底部を除く少なくとも２点に接触することを特徴とする請求項３３に記載の振動波リニアモータ。
【手続補正２】
【補正対象書類名】明細書
【補正対象項目名】００１３
【補正方法】変更
【補正の内容】
【００１３】
次に、請求項５記載の発明（第２の発明）の振動波リニアモータは、基台と、該基台に対し固定された第１の当接部材と、該第１の当接部材に向けて移動可能に配された第２の当接部材と、該第２の当接部材を上記第１の当接部材に向けて付勢する付勢手段と、上記第１及び上記第２の当接部材との間に配され、駆動信号を印加することにより振動し上記第１の当接部材に対し所定の相対移動方向に相対的に移動する振動子と、該振動子の上記第２の当接部材に対向する側に該第２の当接部材に接触すべく上記相対移動方向に所定の間隔で設けられた第１及び第２の駆動接触部と、上記振働子の上記第１の当接部材に対向する側で上記第１及び第２の駆動接触部の間に対応する位置に設けられた第３の駆動接触部と、を具備して構成される。
【手続補正３】
【補正対象書類名】明細書
【補正対象項目名】００１４
【補正方法】変更
【補正の内容】
【００１４】
このように、駆動力伝導効率の高い駆動接触部を固定の当接部材に接触するようにしたので、より効率の良い駆動が実現される。また、これにより、特に、駆動方向を切替えたときの立ち上がり特性が向上する。
上記第３の駆動接触部は、例えば請求項６記載のように、上記相対移動方向での上記第１及び第２の駆動接触部の配置位置よりも上記振動子の重心位置に近い位置に配置されて構成される。
【手続補正４】
【補正対象書類名】明細書
【補正対象項目名】００１９
【補正方法】変更
【補正の内容】
【００１９】
これにより、二重嵌合を防止して振動子への拘束力を軽減している。
また、この振動波リニアモータにおいては、例えば請求項１２記載のように、上記第２の駆動接触部と上記第２の当接部材との接触部において該接触部の法線と上記振動子の振動方向と成す角が、上記第１の駆動接触部と上記第１の当接部材との接触部において該接触部の法線と上記振動子の振動方向と成す角よりも大きくなるように構成される。
【手続補正５】
【補正対象書類名】明細書
【補正対象項目名】００２０
【補正方法】変更
【補正の内容】
【００２０】
更に、請求項１３記載の発明（第４の発明）の振動波リニアモータは、基台と、該基台に対し固定された第ｌの当接部材と、該第１の当接部材に向けて移動可能に配された第２の当接部材と、上記第１及び第２の当接部材間に配設され、駆動信号を印加されることにより振動し上記第１の当接部材に対し所定の相対移動方向に相対的に移動する振動子と、該振動子の上記第１の当接部材に対向する側に該第１の当接部材に接触すべく設けられた第１の駆動接触部と、上記振動子の上記第２の当接部材に対向する側に該第２の当接部材に接触すべく設けられた第２の駆動接触部と、上記第１及び第２の当接部材と上記第１及び第２の駆動接触部との間に押圧力を付与する付勢手段と、を具備し、上記第２の駆動接触部は、上記振動子の上記相対移動方向と、上記第１及び第２の当接部材の配列方向とに直交する方向への上記振動子の移動を規制するガイド機能を有し、上記第１の駆動接触部は上記ガイド機能に所定の遊びを許容するように構成される。
【手続補正６】
【補正対象書類名】明細書
【補正対象項目名】００２４
【補正方法】変更
【補正の内容】
【００２４】
次に、請求項１８記載の発明（第６の発明）の振動波リニアモータは、第１の当接部材と、第２の当接部材と、上記第１及び第２の当接部材間に配設され、駆動信号が印加されることにより振動し上記第１の当接部材に対し所定の相対移動方向に相対的に移動する振動子と、該振動子の上記第１の当接部材に対向する側に該第１の当接部材に接触すべく設けられた第１の駆動接触部と、上記振動子の上記第２の当接部材に対向する側に該第２の当接部材に接触すべく設けられた第２の駆動接触部と、上記第１及び第２の駆動接触部と上記第１及び第２の当接部材とを圧接させるべく付勢する付勢手段と、上記第１の駆動接触部において上記第１の当接部材と接触すべき部位に設けられた第１の溝部と、上記第２の駆動接触部において上記第２の当接部材と接触すべき部位に設けられた第２の溝部と、を具備し、上記振動子は、上記第１及び第２の溝部の少なくとも一方により上記相対移動方向並びに上記第１及び第２の当接部材の配列方向と直角な方向への移動が規制されるように構成される。
【手続補正７】
【補正対象書類名】明細書
【補正対象項目名】００２９
【補正方法】変更
【補正の内容】
【００２９】
続いて、請求項２５記載の発明（第７の発明）の振動波リニアモータは、基台と、該基台に対し固定された第１の当接部材と、該第１の当接部材に向けて移動可能に配された第２の当接部材と、該第２の当接部材を上記第１の当接部材に向けて付勢する付勢手段と、上記第１及び第２の当接部材間に配設され、駆動信号を印加されることにより振動し上記第１の当接部材に対し所定の相対移動方向に相対的に移動する振動子と、該振動子の上記第１の当接部材に対向する側に、対向する上記第１の当接部材と接触すべく設けられた第１の駆動接触部と、該第１の駆動接触部と上記相対移動方向に所定の間隔で同一側に配置され上記第１の当接部材と接触すべく設けられた第２の駆動接触部と、上記振動子の上記第２の当接部材に対向する側に、対向する上記第２の当接部材と接触すべく設けられ、上記相対移動方向で且つ上記第２の駆動接触部間に対応する位置に配置された第３の駆動接触部と、を具備し、上記第１又は第２の駆動接触部の少なくとも一方は、上記振動子の相対移動方向と上記第１及び第２の当接部材の配列方向とに直交する方向への上記振動子の移動を規制するガイド機能を有して構成される。
【手続補正８】
【補正対象書類名】明細書
【補正対象項目名】００３０
【補正方法】変更
【補正の内容】
【００３０】
上記第３の駆動接触部は、例えば請求項２６記載のように、上記振動子の相対移動方向と上記第１及び第２の当接部材の配列方向とに直交する方向への上記振動子の移動を許容するように上記第２の当接部材と接触するように構成される。
次に、請求項２７記載の発明（第８の発明）の振動波リニアモータは、基台と、該基台に対し固定された第１の当接部材と、該第１の当接部材に向けて移動可能に配された第２の当接部材と、該第２の当接部材を上記第１の当接部材に向けて付勢する付勢手段と、上記第１及び第２の当接部材間に配設され、駆動信号を印加されることにより振動し上記第１の当接部材に対し所定の相対移動方向に相対的に移動する振動子と、該振動子の上記第２の当接部材に対向する側に、対向する上記第２の当接部材と接触すべく設けられた第１の駆動接触部と、該第１の駆動接触部と上記相対移動方向に所定の間隔で同一側に配置され上記第１又は第２の当接部材と接触すべく設けられた第２の駆動接触部と、上記振動子の上記第１の当接部材に対向する側に、対向する上記第１の当接部材と接触すべく設けられ、上記相対移動方向で且つ上記第１及び第２の駆動接触部間に対応する位置に配置された第３の駆動接触部と、を具備し、上記第３の駆動接触部は、上記振動子の相対移動方向と上記第１及び第２の当接部材の配列方向とに直交する方向への上記振動子の移動を規制するガイド機能を有して構成される。
【手続補正９】
【補正対象書類名】明細書
【補正対象項目名】００３２
【補正方法】変更
【補正の内容】
【００３２】
更に、請求項２９記載の発明（第９の発明）の振動波リニアモータは、基台と、該基台に対し固定された第１の当接部材と、該第１の当接部材に向けて移動可能に配された第２の当接部材と、該第２の当接部材を上記第１の当接部材に向けて付勢する付勢手段と、上記第１及び第２の当接部材間に配設され、駆動信号を印加されることにより振動し上記第１の当接部材に対し所定の相対移動方向に相対的に移動する振動子と、該振動子の上記第１の当接部材に対向する側に、対向する上記第１の当接部材と接触すべく設けられた第１の駆動接触部と、該第１の駆動接触部に設けられ、上記第１の当接部材と接触すべき部位に形成された第１の溝部と、上記第１の駆動接触部と上記相対移動方向に所定の間隔で同一側に配置され上記第１の当接部材と接触すべく設けられた第２の駆動接触部と、該第２の駆動接触部に設けられ、上記第１の当接部材と接触すべき部位に形成された第２の溝部と、上記振動子の上記第２の当接部材に対向する側に、対向する上記第２の当接部材と接触すべく設けられ、上記相対移動方向で且つ上記第１及び第２の駆動接触部間に対応する位置に配置された第３の駆動接触部と、該第３の駆動接触部に設けられ、対向する上記第２の当接部材に接触すべき部位に形成された第３の溝部と、を具備し、上記振動子は、上記第１の溝部により上記相対移動方向と上記第１及び第２の当接部材の配列方向とに直交する方向への位置が規制されるように構成される。
【手続補正１０】
【補正対象書類名】明細書
【補正対象項目名】００３３
【補正方法】変更
【補正の内容】
【００３３】
この振動波リニアモータにおいて、例えば請求額３０記載のように、上記第１の溝部と上記第１の当接部材との間の遊びよりも上記第３の溝部と上記第２の当接部材との間の遊びの方が大きくなるように構成される。また、例えば請求項３１記載のように、上記第１の溝部と上記第１の当接部材との間の遊びと上記第２の溝部と上記第１の当接部材との間の遊びとが略等しくなるように構成される。
【手続補正１１】
【補正対象書類名】明細書
【補正対象項目名】００３４
【補正方法】変更
【補正の内容】
【００３４】
そして、上記第１の当接部材は、例えば請求項３２記載のように、上記第１の溝部の底部を除く少なくとも２点に接触するように構成される。
最後に、請求項３３記載の発明（第１０の発明）の振動波リニアモータは、基台と、該基台に対し固定された第１の当接部材と、該第１の当接部材に向けて移動可能に配された第２の当接部材と、該第２の当接部材を上記第１の当接部材に向けて付勢する付勢手段と、上記第１及び第２の当接部材間に配設され、駆動信号を印加されることにより振動し上記第１の当接部材に対し所定の相対移動方向に相対的に移動する振動子と、該振動子の上記第２の当接部材に対向する側に、対向する上記第２の当接部材と接触すべく設けられた第１の駆動接触部と、該第１の駆動接触部に設けられ、上記第２の当接部材と接触すべき部位に形成された第１の溝部と、上記第１の駆動接触部と上記相対移動方向に所定の間隔で同一側に配置され上記第２の当接部材と接触すべく設けられた第２の駆動接触部と、該第２の駆動接触部に設けられ、上記第２の当接部材と接触すべき部位に形成された第２の溝部と、上記振動子の上記第１の当接部材に対向する側に、対向する上記第１の当接部材と接触すべく設けられ、上記相対移動方向で且つ上記第１及び第２の駆動接触部間に対応する位置に配置された第３の駆動接触部と、該第３の駆動接触部に設けられ、対向する上記第１の当接部材に接触すべき部位に形成された第３の溝部と、を具備し、上記振動子は、上記第３の溝部により上記相対移動方向と上記第１及び第２の当接部材の配列方向とに直交する方向への位置が規制されるように構成される。